(57)【要約】      （修正有）【課題】中空心線を具えたラケット用ガットの提供。【解決手段】心線１０及び第１巻線層２０を具え、該心線は所定長さの単一線体とされ、並びに少なくとも一つの中空部１１が設けられ、該中空部は心線に設けられ且つ中空状を呈して軸方向に所定長さ延伸されている。該第１巻線層は、複数の所定長さの巻線が該心線外部に巻かれてなり、以上の構造により、中空状心線にその外周に巻かれた第１巻線層が組み合わされてラケット用ガットが構成され、中空心線内の空気によりその弾力が増され、また振動緩和機能を具備して運動傷害を低減する。【選択図】図１
0003112247.tif 000002
【実用新案登録請求の範囲】
【請求項１】
所定長さの単一線体である心線と、第１巻線層を具え、該第１巻線層が所定長さの複数の巻線が心線外周に巻かれてなるラケット用ガットであって、
該心線に少なくとも一つの中空部が設けられ、該中空部は中空状を呈して軸方向に所定長さ延伸され、
以上の構造により、中空部が設けられた中空心線に、その外周に巻かれた第１巻線層が組み合わされて、ラケット用ガットの弾力が増され、振動緩和機能を具備するものとされたことを特徴とする、中空心線を具えたラケット用ガット。
【請求項２】
複数の心線を具え、それは所定の長さの複数の線体で構成され、該心線の外周を被覆するように被覆層が設けられたラケット用ガットであって、
各心線が中空部を具え、該中空部は中空状を呈して軸方向に所定長さ延伸され、
以上の構造により、中空部が設けられた中空心線に、その外周に巻かれた第１巻線層が組み合わされて、ラケット用ガットの弾力が増され、振動緩和機能を具備するものとされたことを特徴とする、中空心線を具えたラケット用ガット。
【請求項３】
請求項１記載のラケット用ガットにおいて、第１巻線層が螺旋方式で心線の外周に巻かれたことを特徴とする、中空心線を具えたラケット用ガット。
【請求項４】
請求項１記載のラケット用ガットにおいて、第１巻線層が交叉編成で心線の外周に巻かれたことを特徴とする、中空心線を具えたラケット用ガット。
【請求項５】
請求項１又は２に記載のラケット用ガットにおいて、中空部が心線と同心円状を呈することを特徴とする、中空心線を具えたラケット用ガット。
【請求項６】
請求項４記載のラケット用ガットにおいて、心線にあって中空部の周囲に少なくとも二つの第２中空部が設けられ、該第２中空部が中空状を呈して心線の軸線方向に所定長さ延伸されたことを特徴とする、中空心線を具えたラケット用ガット。
【請求項７】
請求項１又は２に記載のラケット用ガットにおいて、心線と中空部が同軸方向に延伸された三角形状を呈することを特徴とする、中空心線を具えたラケット用ガット。
【請求項８】
請求項１記載のラケット用ガットにおいて、複数の所定長さで且つ螺旋方式で第１巻線層の外周に巻かれた巻線からなる第２巻線層が設けられたことを特徴とする、中空心線を具えたラケット用ガット。
【請求項９】
請求項１記載のラケット用ガットにおいて、複数の所定長さで且つ交叉状に編成された巻線で構成された第２巻線層が第１巻線層の外周に巻かれたことを特徴とする、中空心線を具えたラケット用ガット。
【請求項１０】
請求項１記載のラケット用ガットにおいて、第１巻線層の外周を被覆するように被覆層が設けられたことを特徴とする、中空心線を具えたラケット用ガット。
【考案の詳細な説明】
【技術分野】
【０００１】
本考案は一種のラケット用ガットに係り、特にテニスラケット及びバドミントンラケットに使用されるラケット用ガットであって、中空内部を具えた単一線の心線を具え、並びに簡単な構造設計でその弾力が向上され制球性が増され、振動を緩和して手部の運動傷害を低減するラケット用ガットの構造に関する。
【背景技術】
【０００２】
市販されているラケット用ガットの種類は多く、その材質は、ナイロン、人造繊維、羊腸線がある。そのうち、羊腸線の弾性は良好であるが、摩損しやすく、耐用性がない。ナイロンは外観が良いが弾性がやや劣り、気温の影響を受けやすく、冬には切断されやすい。上述の二種類のラケット用ガットはテニス或いはバドミントン選手はあまり採用せず、現在正式なゲーム中でプロ選手に多用されているのは人工繊維のラケット用ガットであり、それは羊腸線とナイロン糸の長所を有し、それぞれの短所を防止し、また強固で信頼性があり、弾性が非常に良好な特徴を有している。合成繊維は個人の必要により異なる紡糸方法、或いは異なる巻き付け方式により異なる直径と太さに製造されて選択に供される。
【０００３】
ラケットの打撃面は一組のガットが交叉状に編成されラケットフレームに接続されてなり、打撃面に良好な打撃エリア、いわゆるスイートスポットを形成する。球がスイートスポットで打たれると、球の弾力は比較的大きく、球速が速くなり、腕力をあまり消費せず、プレイヤーは容易に制球できる。ラケット用ガットの選択はその編成により形成されるスイートスポットの大きさ、弾性、及びその振動程度に関係がある。
【０００４】
ラケット用ガットの設計の多くは、スイートスポットの面積、弾性及び振動エネルギーの大きさに重きが置かれ、そのうちスイートスポットの面積が大きいと、初心者でも上手く打つことができ、中心から僅かに外れても失球しにくい。弾性が良好なものは、制球がシャープで使用する腕力が小さく、細かい技術を処理するのに向いている。振動程度が小さいものは、選手の長期振動による筋肉の収縮と、それによる手腕の筋肉の負荷と疲労による運動傷害を減少できる。
【０００５】
ラケット用ガットの構造は、現在、スイートスポット面積を増加してスイートスポットに球を進入しやすくし、弾性を増加して制球性を増し、振動を減らして振動の衝撃により形成される手腕の負荷を減らし、耐磨耗性の増加が重視されている。周知のラケット用ガットには単一心線及び複数心線を有するものがあり、また、特許文献１には中間に心線のない構造が記載され、それは複数の所定長さの巻線が螺旋方式で軸心に沿って巻き付けられ、所定長さの金属線が各巻線に伴い巻かれている。また特許文献１には中間に心線を具えた構造も記載され、それは中心軸を具え、それが所定長さの単一線或いは複数線の線体を具え、複数の所定長さの巻線が螺旋方式で中心軸周囲に巻かれて第１巻線層を形成し、金属線が螺旋方式で中心軸周囲に巻かれて其れが巻線とは異なる延伸係数を具えたものとされている。
【０００６】
この構造は各巻線と金属線間の異なる延伸係数を利用し、螺旋巻き付け方式で製造された後、このラケット用ガットは明らかな凹凸表面を有し、これによりラケット用ガットが打球時に良好な制球性を有するものとされる。
【０００７】
【特許文献１】台湾実用新案登録第８８２０８２１７号明細書
【考案の開示】
【考案が解決しようとする課題】
【０００８】
前述の特許文献１に記載の構造は各巻線と金属線間の異なる延伸係数を利用し、螺旋巻き付け方式で製造された後、このラケット用ガットは明らかな凹凸表面を有し、これによりラケット用ガットが打球時に良好な制球性を有するものとされる。本考案はその構造の弾性と振動緩和機能を向上する余地を認め、単一心線を具えたラケット用ガットに構造上及び機能上の向上を図るものである。
【０００９】
本考案の主要な目的は、中空心線を具えたラケット用ガットを提供することにあり、それは弾力を向上して打球時の制球性を増したものとする。
【００１０】
本考案の次の目的は、中空心線を具えたラケット用ガットを提供することにあり、それは、振動緩和機能を具えて振動の衝撃による手腕の運動傷害を減らせるものとする。
【課題を解決するための手段】
【００１１】
請求項１の考案は、所定長さの単一線体である心線と、第１巻線層を具え、該第１巻線層が所定長さの複数の巻線が心線外周に巻かれてなるラケット用ガットであって、
該心線に少なくとも一つの中空部が設けられ、該中空部は中空状を呈して軸方向に所定長さ延伸され、
以上の構造により、中空部が設けられた中空心線に、その外周に巻かれた第１巻線層が組み合わされて、ラケット用ガットの弾力が増され、振動緩和機能を具備するものとされたことを特徴とする、中空心線を具えたラケット用ガットとしている。
請求項２の考案は、複数の心線を具え、それは所定の長さの複数の線体で構成され、該心線の外周を被覆するように被覆層が設けられたラケット用ガットであって、
各心線が中空部を具え、該中空部は中空状を呈して軸方向に所定長さ延伸され、
以上の構造により、中空部が設けられた中空心線に、その外周に巻かれた第１巻線層が組み合わされて、ラケット用ガットの弾力が増され、振動緩和機能を具備するものとされたことを特徴とする、中空心線を具えたラケット用ガットとしている。
請求項３の考案は、請求項１記載のラケット用ガットにおいて、第１巻線層が螺旋方式で心線の外周に巻かれたことを特徴とする、中空心線を具えたラケット用ガットとしている。
請求項４の考案は、請求項１記載のラケット用ガットにおいて、第１巻線層が交叉編成で心線の外周に巻かれたことを特徴とする、中空心線を具えたラケット用ガットとしている。
請求項５の考案は、請求項１又は２に記載のラケット用ガットにおいて、中空部が心線と同心円状を呈することを特徴とする、中空心線を具えたラケット用ガットとしている。
請求項６の考案は、請求項４記載のラケット用ガットにおいて、心線にあって中空部の周囲に少なくとも二つの第２中空部が設けられ、該第２中空部が中空状を呈して心線の軸線方向に所定長さ延伸されたことを特徴とする、中空心線を具えたラケット用ガットとしている。
請求項７の考案は、請求項１又は２に記載のラケット用ガットにおいて、心線と中空部が同軸方向に延伸された三角形状を呈することを特徴とする、中空心線を具えたラケット用ガットとしている。
請求項８の考案は、請求項１記載のラケット用ガットにおいて、複数の所定長さで且つ螺旋方式で第１巻線層の外周に巻かれた巻線からなる第２巻線層が設けられたことを特徴とする、中空心線を具えたラケット用ガットとしている。
請求項９の考案は、請求項１記載のラケット用ガットにおいて、複数の所定長さで且つ交叉状に編成された巻線で構成された第２巻線層が第１巻線層の外周に巻かれたことを特徴とする、中空心線を具えたラケット用ガットとしている。
請求項１０の考案は、請求項１記載のラケット用ガットにおいて、第１巻線層の外周を被覆するように被覆層が設けられたことを特徴とする、中空心線を具えたラケット用ガットとしている。
【考案の効果】
【００１２】
本考案のラケット用ガットは心線及び第１巻線層を具え、該心線は所定長さの単一線体とされ、並びに少なくとも一つの中空部が設けられ、該中空部は心線に設けられ且つ中空状を呈して軸方向に所定長さ延伸されている。該第１巻線層は、複数の所定長さの巻線が該心線外部に巻かれてなり、以上の構造により、中空状心線にその外周に巻かれた第１巻線層が組み合わされてラケット用ガットが構成され、中空心線内の空気によりその弾力が増され、また振動緩和機能を具備して運動傷害を低減する。
【考案を実施するための最良の形態】
【００１３】
図１に示されるように、本考案の提供する中空心線を具えたラケット用ガットは、心線１０、及び心線１０の外周に巻き付けられた第１巻線層２０、及び被覆層３０を包含する。
【００１４】
該心線１０は所定長さの単一線体とされ、その中央に中空部１１があり、該中空部１１は心線１０に設けられて且つ中空状に軸方向に所定長さ延伸され、並びに心線１０と同心円状を呈する。
【００１５】
該第１巻線層２０は、複数の所定長さの巻線が交叉状に編成されるか或いは螺旋状に心線１０に巻き付けられて形成される。
【００１６】
該被覆層３０は、第１巻線層２０の外周を被覆し、心線１０と第１巻線層２０をその内部に被覆する。
【００１７】
以上の構造により、中空部１１が形成された心線１０に螺旋方式でその外周に巻き付けられた第１巻線層２０が組み合わされ、さらに第１巻線層２０の外周が被覆層３０で被覆されて本考案のラケット用ガットが完成する。
【００１８】
図２は本考案の第２実施例を示し、そのうち心線１０と中空部１１は同軸方向に延伸され各辺が平行な三角形とされている。
【００１９】
図３は本考案の第３実施例を示し、そのうち心線１０の中空部１１の周りに四つの第２中空部１２が環状に配設され、該第２中空部１２の断面は水滴状を呈し、該第２中空部１２は中空状を呈し心線１０の軸方向に所定長さ延伸されている。
【００２０】
図４は本考案の第４実施例を示し、そのうち第１巻線層２０と被覆層３０の間に第２巻線層４０が設けられ、それは複数の所定長さの且つ交叉状に編成されるか或いは螺旋巻き付け方式で第１巻線層２０の外周に巻かれた巻線で構成されている。
【００２１】
図５は本考案の第５実施例を示し、それは複数の心線を具え、それは所定長さの複数の線体で構成され、各心線が中空部を具え、この中空部は心線の軸方向に所定長さ延伸され、被覆層が心線の外周を被覆するように設けられている。この構造は中空部を具えた複数の心線が組み合わされて束が形成され、その外周を被覆する被覆層が組み合わされて、ラケット用ガットの弾力を増し、振動緩和の機能を有する。
【００２２】
総合すると、本考案の提供する中空心線を具えたラケット用ガットはその構造上及び使用上、以下の特徴と効果を有する。
１．心線１０及び第１巻線層２０自身が材質の弾性を具備するほか、中空部１１の設計により心線内に空気を具え、更にその弾性を増す効果を有し、制球性が高く、手腕の力を軽減する。
２．中空状の中空部１１を利用して振動エネルギーの伝送を減らし、振動緩和の機能を達成し、長期にラケットを握るプロ選手の手腕筋肉の負荷及び疲労による運動傷害を減らし、実用性が極めて高い。
３．第２中空部１２が中空状を呈して複数が心線１０に設置されることで更にガットの弾力と振動緩和機能が発揮される。
４．中空部を具えた複数の心線が組み合わされて束にされ、その外周に被覆層が組み合わされた形態もガットの弾力と振動緩和機能を向上する。
【図面の簡単な説明】
【００２３】
【図１】本考案の第１実施例の局部立体外観図である。
【図２】本考案の第２実施例の局部立体外観図である。
【図３】本考案の第３実施例の局部立体外観図である。
【図４】本考案の第４実施例の局部立体外観図である。
【図５】本考案の第５実施例の局部立体外観図である。
【符号の説明】
【００２４】
１０  心線        ２０  第１巻線層
１１  中空部      ３０  被覆層
１２  第２中空部  ４０  第２巻線層
【図１】
0003112247.tif 000003
【図２】
0003112247.tif 000004
【図３】
0003112247.tif 000005
【図４】
0003112247.tif 000006
【図５】
0003112247.tif 000007